(57)【要約】      （修正有）【課題】人間の口唇の閉鎖筋肉に対応する持久力の最大値と最小値とを測定する口唇圧力測定具を提供する。【解決手段】圧力測定具は、箱体部と口唇圧部とより構成され、該箱体部には、表面に最大値と最小値を示す表示部を設けると共に、内部に回路接続部を収納する。該口唇圧部には、口唇圧センサーを内蔵する。また、該口唇圧部には、正面に凹弧部を設けると共に、上面に上部凹弧部と下面に相対する下部凹弧部を形成する。また、該箱体部には、内部に電源部及び中央処理装置を始め、回路接続部を収納配設した事を特徴としている。【選択図】図１
0003128733.tif 000002
【実用新案登録請求の範囲】
【請求項１】
圧力測定具本体は方形状の箱体部と唇で挟み込まれる口唇圧部とよりなる口唇圧力測定具において、該箱体部（２）には、内部に回路接続部（６）を収納し、該口唇圧部（３）には、口唇圧センサー（１６）を内蔵し、該箱体部（２）には、表面に口唇圧力の最大値（１３）と最小値（１４）とを示す表示部（７）と複数のスイッチボタン（１２）を装設し、且つ該口唇圧部（３）には、内部に口唇圧センサー（１６）を収納し、且つ正面に凹弧部（９）を設けると共に、上面に上部凹弧部（１０）と下面に下部凹弧部（１１）とを形成した事を特徴とする口唇圧力測定具。
【請求項２】
前記請求項１における該箱体部（２）には、内部に電源部（１５）、増幅器（１７）、フィルター（１８）、Ａ／Ｄ変換部（１９）、データ分析回路部（２０）、データ制御部（２１）、表示制御部（２２）、データ蓄積部（２３）、リセット・スタート・表示切換ボタン（２４）及び、時間制御部（２５）等を収納配設した事を特徴とする請求項１の口唇圧力測定具。
【請求項３】
請求項１における該口唇圧部（３）は、口唇の最大圧力と最小圧力との口筋力を計り、該箱体部（２）の表示部に表示する事を特徴とする請求項１の口唇圧力測定具。
【考案の詳細な説明】
【技術分野】
【０００１】  本考案は、人間の口唇を閉じる力に対応する持久力の圧力値を測定する口唇圧力測定具に関するものである。
【背景技術】
【０００２】  従来この種の唇を閉じる閉鎖力を計る公知の機器は散見されているが、現状のものは、口唇の閉鎖力に対して、閉じる力の最大値のみを計る機器が普通に使用されている現状である。
然し、口唇の筋力には、速筋と遅筋とがあり、遅筋は瞬発力はないが、持久力があり、一定の計測範囲で、持久力がどれだけ弱くなるかを計測する機器は現存散見されていない。
【考案の開示】
【考案が解決しようとする課題】
【０００３】  本考案は、上記従来の問題点に鑑みて考案したものであって、持久力がどれだけあるかを見るために、測定範囲内の速筋の力と遅筋の力を測定し、表示することで、持久力を測定するものである。【０００４】  人の顔、首の周りには、多数の筋肉が存在し、それぞれ重要な役割を果してしる。顔の筋肉は、頬筋、眼輪筋等、多くの筋肉があり、一般的には表情筋と呼ばれている。通常筋肉は適度運動をしないと機能が低下し、手で握る力は握力計で計ることは可能だが、表情筋は計れない現状であり、表情筋の多くは口輪筋に繋がっているので、唇を閉じる閉鎖力を測定することで、表情筋の力を計ることが可能となる。【０００５】  更に、筋肉は速筋力と遅筋力とが一緒になっており、骨格筋は速筋の割合が多く、一時的に強い力を出せるが持久力が無く、遅筋は瞬発力はないが持久力がある。また、口唇の筋肉の力を計るには、強い力の瞬発力も必要であるが、持久力がどれだけあるかも必要となる。そして、持久力の計り方の一つとして、一定時間の中でどれだけの力が弱くなるかを見ることも必要と考えられる。
【課題を解決するための手段】
【０００６】  本考案は、上記の各目的を達成するために、圧力測定具本体は方形状を有し、箱体部と口唇圧部とにより構成される。該箱体部には、内部に各種の回路接続部を収納する。該口唇圧部には、口唇圧センサーを内蔵する。且つ該箱体部の表面には、口唇圧力の最大値と最小値を示す表示部を設ける。また、該口唇圧部には、正面に唇に合う凹弧部と、上面及び下面に各々凹弧部を形成したものである。更に、該箱体部には、内部に電源部、増幅器、フィルター、Ａ／Ｄ変換部、データ分析回路部、データ蓄積部、リセット・スタート・表示切換ボタン及び時間制御部等を収納配設したものである。また、該口唇圧部は、口唇部の圧力を検出するものであり、回路接続部は検出されたデータを処理し、最大圧力と最小圧力とを表示部に表示するものである。
【考案の効果】
【０００７】  以上の様に構成されている本考案によれば、従来の唇を閉じる口唇閉鎖力を計る機器のように閉鎖力の最大値のみを計るものと異なり、口唇閉鎖力の最大値及び最小値を計ることで、持久力が判断できるので、強い力の口唇力と弱い力の口唇力を見ることが可能となる効果がある。そして、圧力測定具本体を方形状の箱体部と口唇圧部とで一体に構成したので、小型で携帯に便利であるため、各所で自由に測定できる効果と、箱体部の表面には、表示部と複数のスイッチボタンを形成してあるので、口唇閉鎖力の最大圧力と最小圧力とが容易確実に表示され、且つ操作が簡単で大変に有益な効果がある。また、口唇圧部に設けた正面の凹弧部及び上下面の各凹弧部によっては、唇の間の挟持が確実であると共に、唇の閉鎖力も正確に測定できる効果がある。更に、箱体部の内部に設けた回路接続部によって、口唇圧センサーの作動で測定範囲を決め、測定範囲のデータを保存し、口唇圧の強い力と弱い力を分析し、その結果を表示器に正確に出力し、持久力を見る事が出来る効果もある。
【考案を実施するための最良の形態】
【０００８】  上記のように構成されている口唇圧力測定具によれば、スイッチボタンの操作により口唇部を唇で挟み込むことにより、センサーに加重されたデータが増幅され、アナログからデジタルに変換され、変換されたデータが、データ分析、制御及び表示制御部で処理され、必要なデータがデータ蓄積部に保存される。この保存されたデータが、必要に応じて最大及び最小のボタン操作で表示部に表示されるものである。また、スタートボタンの押圧後から、時系列的にデータを取得し、決められた測定範囲内での速筋力（最強力）と遅筋力（最弱力）を求めて、データ蓄積部に送り出すものである。
【実施例】
【０００９】  次に、本考案の実施例を図面について説明すると、図１に示すものは、圧力測定具本体（１）を示し、箱体部（２）と口唇圧部（３）とから構成され、該箱体部（２）には、表面に表示部（７）と、スタートボタン、表示ボタン等の複数のスイッチボタン（１２）を装設すると共に、表示部（７）には図６に示す様に、口唇圧力の最大値（１３）と最小値（１４）とが表示されるものである。符号（８）は、該箱体部（２）の側辺を示すものである。
次に図２に示す該口唇圧部（３）には、正面に歯との接触を緩和するようにした凹弧部（９）を形成し、且つ該口唇圧部（３）には、口唇に合う形状の上面に上部凹弧部（１０）を形成すると共に、下面には下部凹弧部（１１）を形成してある。【００１０】  図３に示すものは、箱体部（２）の内部に収納されている回路接続部（６）であって、（１５）は、装置全体の電気を供給する電源部を示し、口唇圧センサー（１６）から得た情報を増幅して安定したデータにする増幅器（１７）を有し、フィルター（１８）は、余分なデータを排除して必要なデータを取り出すものである。Ａ／Ｄ変換部（１９）は、アナログデータをデジタルデータに変換するものである。中央処理装置（５）は、データを処理するものであり、測定範囲内での強い力、弱い力を分析するデータ分析回路部（２０）と、データ分析回路部（２０）で得られた分析値をデータ蓄積部（２３）に送出する。データ制御部（２１）と、リセット・スタート・表示切換ボタン（２４）の情報を元に必要なデータをデータ制御部（２１）に要求すると共に、表示制御部（２２）より必要データを表示部（７）に送出する。符号（２５）は、データを取得する範囲を設定する時間制御部を示したものである。
次にデータ蓄積部（２３）は、データ分析回路部（２０）で分析されたデータを保存する。また、リセット・スタート・表示切換ボタン（２４）は、インプットされた情報を各制御部に送出する役目を果すものである。【００１１】  図４、図５に示すものは、図１における口唇圧部（３）のＡ−Ａ線の断面図と、Ｂ−Ｂ線の断面図を示したものである。【００１２】  図６に示すものは、口唇圧力測定具の基本作動の図解を示すもので、電源部（１５）で口唇圧センサー（１６）は稼動状態になり、何時でも測定可能となる。測定は、スイッチボタン（１２）を押下後、２秒後から測定が始まる。
測定時間は１０秒間とし、測定開始から１０秒後にブザーを鳴らし（またはＬＥＤを発光させる）測定終了を知らせる。測定範囲の中で、最大値と最小値を保存し、液晶に値を表示する。また、表示の切り換えは、スイッチボタン（１２）の最小ボタン、最大ボタンを押下することで実施するものである。
次に、リセット・スタート・表示切換ボタン（２４）の押下で最大値、最小値をクリアーし、初期の状態に戻し、測定可能にする。
最後に、自動電源ＯＦＦ機能を入れる。口唇圧センサー（１６）に負荷が掛からなくなってから、１２０秒後に電源部（１５）をＯＦＦとする。また、口唇圧センサー（１６）に１２０秒以上連続して負荷が掛かっていた場合も電源部（１５）をＯＦＦにする。
【図面の簡単な説明】
【００１３】
【図１】  本考案の圧力測定具本体の全体の斜面図である。
【図２】  同じく本考案の口唇圧部の拡大斜面図である。
【図３】  本考案の回路接続図である。
【図４】  本考案の図１Ａ−Ａ線の断面図である。
【図５】  同じく本考案の図１Ｂ−Ｂ線の断面図である。
【図６】  本考案の口唇圧力計の作動方法を示す図解である。
【符号の説明】
【００１４】１          圧力測定具本体
２          箱体部
３          口唇圧部
５          中央処理装置
６          回路接続部
７          表示部
８          側辺
９          凹弧部
１０        上部凹弧部
１１        下部凹弧部
１２        スイッチボタン
１３        最大値
１４        最小値
１５        電源部
１６        口唇圧センサー
１７        増幅器
１８        フィルター
１９        Ａ／Ｄ変換部
２０        データ分析回路部
２１        データ制御部
２２        表示制御部
２３        データ蓄積部
２４        リセット・スタート・表示切換ボタン
２５        時間制御部
【図１】
0003128733.tif 000003
【図２】
0003128733.tif 000004
【図３】
0003128733.tif 000005
【図４】
0003128733.tif 000006
【図５】
0003128733.tif 000007
【図６】
0003128733.tif 000008